(57)【要約】【課題】  使用者が携行した可能な口腔洗浄用のノズルからなる口腔洗浄具を、洗面所等の給水栓に取り付けて、簡単に口腔洗浄できるようにする。【解決手段】  給湯、給水系統の混合栓１と吐水口２との間の水栓パイプ１１に、通常の吐水口２への配水時に閉塞し、口腔洗浄具２０の先端が挿入されて開口し、口腔洗浄具２０のホース端部が水密性を保持して取り付けられる口腔洗浄具取付口と、口腔洗浄具取付口と吐水口２との間に止水栓１４とを備える。そして、口腔洗浄具取付口にジョイント金具３０を介して、フレキシブルホース２４を水密、耐圧保持して脱着可能に取り付け、フレキシブルホース２４から延長された配管を内蔵した口腔洗浄具２０の先端ノズル２３から温度、水圧が調整された洗浄水を噴出して、口腔洗浄を行えるようにした。【選択図】  図１０
2006158938.tif 000002
【特許請求の範囲】
【請求項１】
給湯、給水系統の混合部と吐水口との間の水栓パイプの一部に、通常の前記吐水口への配水時に閉塞し、口腔洗浄具の先端が挿入されて開口し、前記口腔洗浄具のホース端部が水密性を保持して取り付けられる口腔洗浄具取付口と、該口腔洗浄具取付口より前記吐水口側位置に止水栓とを備えたことを特徴とする口腔洗浄具取付水栓。
【請求項２】
請求項１に記載の口腔洗浄具取付水栓の口腔洗浄具取付口に、その端部に取着された継手部材を介して水密性を保持して脱着可能に取り付けられるフレキシブルホースと、該フレキシブルホースによって内部配管内に導かれた洗浄水を、先端ノズルから噴出可能な本体部とを備えたことを特徴とする脱着口腔洗浄具。
【請求項３】
前記水栓パイプ内に、付勢され、前記口腔洗浄具取付口を内部から閉塞する閉塞弁が設けられたことを特徴とする請求項１に記載の口腔洗浄具取付水栓。
【請求項４】
前記本体部に、前記洗浄水の前記先端ノズルから噴出させる水量を調整可能な操作部が設けられたことを特徴とする請求項２に記載の脱着口腔洗浄具。
【請求項５】
前記継手部材の前記洗浄水の流路に合流する副流路が設けられ、該副流路を介して、外部ポンプから供給される洗口剤、含嗽剤を希釈して、前記洗浄水に混合可能な請求項２に記載の脱着口腔洗浄具。
【請求項６】
給湯、給水系統の混合部と吐水口との間の水栓パイプの一部に、通常の前記吐水口への配水時に閉塞し、口腔洗浄具の先端が挿入されて開口し、前記口腔洗浄具のホース端部が水密性を保持して装着される口腔洗浄具取付継手部材と、該口腔洗浄具取付継手部材より前記吐水口側位置に止水栓とを備えたことを特徴とする口腔洗浄具取付水栓。
【請求項７】
請求項６に記載の口腔洗浄具取付水栓の口腔洗浄具取付継手部材に、その端部が水密性を保持して脱着可能に取り付けられるフレキシブルホースと、該フレキシブルホースによって内部配管内に導かれた洗浄水を、先端ノズルから噴出可能な本体部とを備えたことを特徴とする脱着口腔洗浄具。
【請求項８】
前記本体部に、前記洗浄水の前記先端ノズルから噴出させる水量を調整可能な操作部が設けられたことを特徴とする請求項７に記載の脱着口腔洗浄具。
【発明の詳細な説明】
【技術分野】
【０００１】
本発明は口腔洗浄具取付水栓及び脱着口腔洗浄具に係り、宿泊施設等においても、洗面所等に設けられた湯水混合水栓に、持参した口腔洗浄具を脱着可能に取り付けて、給湯、給水水栓により温度調整された圧力洗浄水を利用した口腔洗浄を、行えるようにした口腔洗浄具取付水栓及び脱着口腔洗浄具に関する。
【背景技術】
【０００２】
従来、口腔洗浄装置として、水タンクに溜めた水を内蔵モータで駆動するポンプで加圧し、装置から延長されたホース先端の洗浄ノズルから所定の圧力の洗浄水を噴出させて歯の汚れを除去したり、歯肉にマッサージ効果を与える装置が知られている。この種の口腔洗浄装置は貯水タンクを備えた据え付けタイプのものが多く、たとえば、６００〜１０００ml程度の洗浄水を水タンクに溜めてから使用する。そのため、大人数が使用した場合には、足し水が必要となり、また、使用後の残余水は、衛生のために装置の使用のたびに捨てなければならない。さらにタンク内に雑菌が発生しないように、タンクの定期的な手入れも必要である。
【０００３】
このような問題を解決するために、水道の給水栓の二次側あるいは吐水口に直接取り付けられた口腔洗浄装置が開示されている（特許文献１，特許文献２）。
【０００４】
特許文献１は、従来の、同種の口腔洗浄装置が行っていたように、口腔洗浄装置使用時の余分な水を逃がす吐水管をなくし、洗浄ノズルで止水しても、そのフレキシブルホースに過大な圧力が加わらないようにするために、給水源に接続される給水栓の二次側に、先端に洗浄ノズルを有するフレキシブルホースの経路上に２次止水弁を設けた口腔洗浄装置において、フレキシブルホースの上流側に、フレキシブルホース内の圧力を一定範囲以内に制限する機能を持った圧力調整弁を設けたものとなっている。
【０００５】
特許文献２は、給水栓の吐水口に直接装着する構造の口腔洗浄装置であって、コントロール栓としてのボタン操作で吐水口付近に設置されたノズルから洗浄水を噴出させるようになっている。
【０００６】
【特許文献１】特開２００３−９３４１４公報。
【特許文献２】特開２０００−１６６９４８公報。
【発明の開示】
【発明が解決しようとする課題】
【０００７】
特許文献１に開示された口腔洗浄装置は、シャワーホースの流出口に圧力調整弁を設け、さらに三方向切替弁を備えることで、シャワー用途と、口腔洗浄装置側への水の供給を制御するようになっている。本発明では定置式の口腔洗浄装置の圧力調整を圧力調整弁等で適正に制御可能であるが、たとえば本装置は、浴室、シャワー装置を有する洗面台等の等の常設設備となっており、通常の浴室給水設備に付加された設備として位置づけられているため、給湯水設備の設置時に、口腔洗浄装置を必要とする需要者のみに選択される固定設備として位置づけられている。
【０００８】
一方、特許文献２に開示された口腔洗浄器は、給水栓の吐水口に洗浄器具のスリーブを直接螺着し、その器具本体に、洗浄水が斜め上向きに噴出するノズルが装着されている。この口腔洗浄器は、水栓の吐水口に脱着可能に取り付けることができるが、使用者は、取り付けられた口腔洗浄器のノズルから噴出した洗浄水の向きにあわせて自分の口を近づけて、適当に自分の顔の位置を移動させて、洗浄水が口内の歯や歯周に当たるようにしなければならない。また、この口腔洗浄器は、金属製の水栓部品の一種であるため、口腔洗浄器として、出張や旅行に携行できるものではない。
【０００９】
ところで、口腔洗浄を食後や就寝前の習慣としている者にとって、ホテル等の宿泊先においても、この口腔洗浄を行いたいとの要望がある。上述したタンクタイプの口腔洗浄器等を洗面所等に備えることも可能であるが、装置ごとに操作方法が異なり、また宿泊施設の管理側では、衛生上、洗浄ノズルの交換、タンク清掃、故障時の対応等の種々のメンテナンスが生じるため、口腔洗浄器等を付属設備として設置することはあまり現実的でない。そこで、本発明の目的は上述した従来の技術が有する問題点を解消し、使用者が携行可能な口腔洗浄用のノズルからなる脱着口腔洗浄具と、この脱着口腔洗浄具を、規格化された給水栓の取付口に取り付けることで、簡単に口腔洗浄できるようにした給水栓を提供することにある。
【課題を解決するための手段】
【００１０】
上記目的を達成するために、本発明は給湯、給水系統の混合部と吐水口との間の水栓パイプの一部に、通常の前記吐水口への配水時に閉塞し、口腔洗浄具の先端が挿入されて開口し、前記口腔洗浄具のホース端部が水密性を保持して取り付けられる口腔洗浄具取付口と、該口腔洗浄具取付口より前記吐水口側位置に止水栓とを備えたことを特徴とする。
【００１１】
口腔洗浄具として、前記口腔洗浄具取付水栓の口腔洗浄具取付口に、その端部に取着された継手部材を介して水密性を保持して脱着可能に取り付けられるフレキシブルホースと、該フレキシブルホースによって内部配管内に導かれた洗浄水を、先端ノズルから噴出可能な本体部とを備えたことを特徴とする。
【００１２】
前記水栓パイプ内に、付勢され、前記口腔洗浄具取付口を内部から閉塞する閉塞弁が設けられるようにすることが好ましい。
【００１３】
前記本体部に、前記洗浄水の前記先端ノズルから噴出させる水量を調整可能な操作部が設けられるようにすることが好ましい。
【００１４】
前記継手部材の前記洗浄水の流路に合流する副流路が設けられ、該副流路を介して、外部ポンプから供給される洗口剤、含嗽剤を希釈して、前記洗浄水に混合できるようにすることが好ましい。
【００１５】
また、他の発明として、給湯、給水系統の混合部と吐水口との間の水栓パイプの一部に、通常の前記吐水口への配水時に閉塞し、口腔洗浄具の先端が挿入されて開口し、前記口腔洗浄具のホース端部が水密性を保持して装着される口腔洗浄具取付継手部材と、該口腔洗浄具取付継手部材より前記吐水口側位置に止水栓とを備えたことを特徴とする。
【００１６】
このとき、脱着口腔洗浄具として、前記口腔洗浄具取付水栓の口腔洗浄具取付継手部材に、その端部が水密性を保持して脱着可能に取り付けられるフレキシブルホースと、該フレキシブルホースによって内部配管内に導かれた洗浄水を、先端ノズルから噴出可能な本体部とを備えたことを特徴とする。
【００１７】
前記本体部に、前記洗浄水の前記先端ノズルから噴出させる水量を調整可能な操作部が設けられるようにすることが好ましい。
【発明の効果】
【００１８】
本発明によれば、新設の、あるいは従来の給湯、給水混合栓の一部改変により、共通仕様の口腔洗浄具取付水栓とすることにより、その取付口に、様々な脱着式の口腔洗浄具を直接取り付けることができ、付加的な設備を要せずに、温度、圧力等を容易に調整可能な脱着口腔洗浄具を実現することができ、この取付口を有する水栓の普及により、廉価な製品から高級仕様の製品にわたる、多くのタイプの脱着口腔洗浄具の開発需要も期待できる。
【発明を実施するための最良の形態】
【００１９】
以下、本発明の口腔洗浄具取付水栓及び脱着口腔洗浄具の実施するための最良の形態として、以下の実施例について添付図面を参照して説明する。
【実施例】
【００２０】
図１には、本発明の口腔洗浄具取付水栓１０の一例として、センターセットタイプの２ハンドル混合栓１を示した説明図である。この口腔洗浄具取付水栓１０の水栓パイプ１１の上面には口腔洗浄具取付口１２が形成され、さらに取付口１２の吐水口２側には止水栓１４が設けられている。通常の湯水混合栓として使用する場合には、後述するように、この口腔洗浄具取付口１２は閉塞されているので、給湯ハンドル３、給水ハンドル４の調整により適温の湯水が吐水口２から配水されるようになっている。後述する口腔洗浄具取付水栓１０に脱着口腔洗浄具２０（図２参照、以下、単に口腔洗浄具２０と記す。）を取り付けるための、継手部材としてのワンタッチ継手３０（図２）を装着可能な水栓パイプ１１を有すれば、シングルレバー水栓や、湯温調整可能な電気温水器直結タイプの単水栓も同様に本発明の口腔洗浄具取付水栓として適用できる。
【００２１】
図２は、図１に示した口腔洗浄具取付水栓１０の口腔洗浄具取付口１２に取り付けられる口腔洗浄具２０を示した説明図である。同図に示したように、口腔洗浄具２０は、握り部２１を兼ねた本体部２２と、本体部２２の先端に着脱自在に連結される先端ノズル２３と、取付口１２から分岐配水された洗浄水を本体部２２に供給するフレキシブルホース２４と、フレキシブルホース２４を取付口１２に水密可能に連結するワンタッチ継手３０とから構成されている。フレキシブルホース２４は、本実施例では、図２に示したように、公知の耐圧樹脂ホースが所定長さ分だけ、コイル状に丸められた状態にある。
【００２２】
図３は、口腔洗浄具２０のフレキシブルホース２４のワンタッチ継手３０を水栓パイプ１１の取付口１２に装着し、口腔洗浄具２０の先端ノズル２３から洗浄水を噴出させた使用状態を示した全体説明図である。本実施例では、同図に示したように、口腔洗浄具取付水栓１０の水栓パイプ１１の上面に設けられた取付口１２に、口腔洗浄具２０のフレキシブルホース２４のワンタッチ継手３０を連結し、水栓パイプ１１に設けられた止水栓１４を閉塞した状態で、給湯ハンドル３、給水ハンドル４による水量（湯量）調整を行うことにより、適温で、適当な水圧の洗浄水を口腔洗浄具２０の先端ノズル２３から噴出させることができる。また、口腔洗浄後の洗浄水は洗面ボウル（図示せず）に吐き出し、洗浄ノズル２３あるいは、通常の吐水口２からの水によって洗い流せばよい。
【００２３】
図４，図５は、本実施例における口腔洗浄具取付水栓１０の取付口１２と、口腔洗浄具２０のフレキシブルホース２４のワンタッチ継手３０との接続構造を示した断面図である。図４に示したように、水栓パイプ１１内の取付口１２には閉塞弁１５がスプリング１６を介して装着されており、スプリング１６の押圧力により、取付口１２をパイプ内側から閉塞するようになっている。この閉塞弁１５とスプリング１６とは、通常の湯水混合栓として吐水口２から配水して使用される場合にも、流路内の水流に影響を与えない形状および部品構成となっている。一方、水栓パイプ１１の上面位置には、取付口１２の貫通孔と同心をなして扁平筒状のボス１７が形成されている。このボス１７の周面には後述するボールロックのための半円断面状のボール保持溝１８が形成されている。さらに、吐水口２と取付口１２との間には止水栓１４が設けられている。この止水栓１４も、通常の湯水混合栓として吐水口２から配水して使用される場合に、流路内の水流に影響を与えず、また動作させて流路を遮断した止水時に、給湯ハンドル３、給水ハンドル４で調整された最大水圧が作用しても漏水しない程度の止水性能を有する。
【００２４】
ワンタッチ継手３０と取付口１２との連結は、本実施例では、ボールロック方式が採用されている。ワンタッチ継手３０は、図４に示したように、内筒スリーブ３１と外筒スリーブ３２との二重構造からなる。このワンタッチ継手３０を水栓パイプ１１の取付口１２のボス１７に装着するには、外筒スリーブ３２を上方にスライドさせた状態で内筒スリーブ３１に保持されたボール３３を外方にわずかに移動可能な解放状態におき、フレキシブルホース２４の先端を取付口１２に差し込むのと同時に外筒スリーブ３２を下方に押し込むことにより、図５に示したように、外筒スリーブ３２内に収容されている板バネ３４により、ボール３３がボス１７のボール保持溝１８内に押圧保持される。これにより、フレキシブルホース２４の端部が水栓パイプ１１内に収容され、口腔洗浄具２０のフレキシブルホース２４の開口２４ａを水栓パイプ１１内の流路と連通させることができる。なお、ワンタッチ継手３０とボス１７との間には図示しない耐圧Ｏリングが装着されており、水密性を確実にしている。
【００２５】
このとき、フレキシブルホース２４の底部２４ｂにより、閉塞弁１５と、閉塞弁１５を支持していたスプリング１６は押し縮められ、図５に示したように、水栓パイプ１１管内の底部に押圧された状態にある。この状態で、止水栓１４のつまみ１４ａ（図４）を回転して水栓パイプ１１の流路を閉じることで、水栓パイプ１１の吐水口２への水流を容易に遮断することができる。
【００２６】
なお、このワンタッチ継手３０と取付口１２との連結には、上述したボールロック方式の他、各種の水密性、耐圧性を有する公知のワンタッチ式の急速流体継手や、従来のネジ式、バイヨネット式のワンタッチ継手等を適宜使用できる。この場合、後述するように、口腔洗浄具２０側のフレキシブルホース２４の端部に、各種構造のワンタッチ継手３０が取り付けられることが想定されるため、フレキシブルホース２４の端部の形状寸法は、各種のワンタッチ継手３０が取り付けられるように、共通仕様の寸法とすることが重要である。したがって、これらの寸法形状は、たとえば公的な組織、機関によって統一した規格として決定されることが推奨される。これにより、たとえば宿泊先のホテルによって、口腔洗浄具取付水栓１０の取付口１２とワンタッチ継手３０とが様々な仕様であっても、使用者が持参した口腔洗浄具２０のフレキシブルホース２４に、用意された所定規格のワンタッチ継手３０を取り付けるだけで、その口腔洗浄具取付水栓１０を使用することができる。
【００２７】
図６各図は口腔洗浄具２０の本体部２２の一部を切欠いて示した一部断面正面図である。本実施例では、口腔洗浄具２０の本体部２２にはプッシュボタン式の水流噴出ボタン２５が設けられており、このボタン２５を押した状態で先端ノズル２３から洗浄水が噴出するような構造になっている。これにより、給湯ハンドル３、給水ハンドル４が開状態にあり、止水栓１４が閉状態（たとえば図５）にあっても、この水流噴出ボタン２５を押した状態でなければ、洗浄水が噴出しないので、止水栓１４、給湯ハンドル３、給水ハンドル４側での操作手順を誤っても、洗浄水が不用意に噴出することが防止される。このとき先端ノズル２３、フレキシブルホース２４の連結個所、ワンタッチ継手３０と取付口１２との連結個所等は、給湯、給水側から所定の水圧が作用した場合にも、十分な耐圧性能を有するように設計することが必要である。なお、各部の耐圧設計が過剰なものとなると、コストアップにつながり、器具も頑丈で大型のものにならざるを得ない。したがって、長時間、口腔洗浄具２０の本体２２側で水流をストップさせることは避けるような使用方法が好ましく、その場合には、水栓パイプ１１の止水栓１４を解放して吐水口２から排水したり、給湯ハンドル３、給水ハンドル４を閉状態とする操作手順を励行することが、口腔洗浄具２０の各部材の負荷軽減、長寿命化につながる。
【００２８】
図６（ｂ）は、先端ノズル２３の交換部品を示したものである。この先端ノズル２３は使用者の口内に入れて使用される。このため、たとえば家庭内において、朝食後に多人数が使用する場合には、本体部２２及びフレキシブルホース２４は水栓パイプ１１に連結しておき、たとえば色を変えた複数本の先端ノズル２３を個人ごとに用意し、各使用者が差し替えて自分の先端ノズル２３を使用すればよい。
【００２９】
また、本実施例では、この本体部２２は、図６（ａ）に示したように、プッシュボタン２５による噴出スイッチを設けただけの構造からなるが、本体内に水量調整バルブ（図示せず）を設けたり、断続的な脈動水流等を発生させる小型ポンプ（図示せず）を内蔵することもできる。本体部２２の握り部２１にそれらの機能のための調整スイッチ（図示せず）を配置し、洗浄水噴出時の手元コントロールを行えるようにすることも可能である。このようなハイグレードの口腔洗浄具２０も、上述した共通寸法のフレキシブルホース２４の端部を備えているため、使用者が携行した口腔洗浄具２０を、宿泊先のホテル等の口腔洗浄具取付水栓１０のワンタッチ継手３０を介して水栓の取付口１２に簡単に連結でき、自分専用のものとして使用することができる。
【００３０】
図７（ａ）は、フレキシブルホース２４の先端形状と、ワンタッチ継手３０との連結状態を示した部分拡大図である。同図に示したように、フレキシブルホース２４の先端形状は、水栓パイプ１１連結時に、下端部で閉塞弁１５を押圧するとともに、側部に開口２４ａが設けられ、水栓パイプ１１内を送られてきた湯水をフレキシブルホース２４内に取り込むことができる。また、中間に設けられたカラー部２４ｃでワンタッチ継手３０を保持し、このカラー部２４ｃとワンタッチ継手３０との密着により、ワンタッチ継手３０部分での水密性が図られるようになっている。
【００３１】
図７（ｂ）は、ワンタッチ継手３０の変形例を示している。この変形例では、同図に示したように、ワンタッチ継手３０内の流路３５に洗浄水の流れ方向に沿って副流路３６をと合流ノズル３７とを形成し、外部タンク５０を設け、その外部タンク５０内に所定濃度に希釈した洗口剤や含嗽剤５１を貯留しておき、ホース５２で連結し、そのホース５２の途中に設けられた開閉弁５３による流量調整等により、流路３５内を送水される洗浄水に、適当な濃度に希釈された洗口剤、含嗽剤を、副流路３６から合流ノズル３７を介して合流させることができる。
【００３２】
図８は、水栓パイプ１１の閉塞弁１５の上流側に水量調整バルブ１９を併設した変形例を示している。この水量調整バルブを閉塞弁１５の上流側に設けることで、給湯、給水ハンドルによる水量（圧力）調整に比べて、洗浄水の水量や圧力を微調整することができる。また、一時的に口腔洗浄具を取り外したい場合に、このバルブを閉状態とすることで、給湯、給水ハンドルを操作せずに口腔洗浄具を取り外すことができる。
【００３３】
なお、図示しないが、水栓パイプ１１内の閉塞弁１５は、公知のボール弁、バタフライ弁等を、水栓パイプ１１の形状、寸法にあわせて適宜採用することができることはいうまでもない。
【００３４】
さらに、本発明の口腔洗浄具取付水栓１０は、従来の水栓パイプ１１を、湯水混合部の先側で独立して取り付けることができるタイプであれば、従来の水栓パイプ１１を、取付口１２、止水栓１４を有する水栓パイプ１１に交換するだけでも、本発明としての作用効果を得ることができるため、設備改変によるコストも最小限に抑えることができる。
【００３５】
図９は、図６に示した内部構造を簡単にして大量生産可能な樹脂製品とすることで、基本性能は図２に示した口腔洗浄具２０とほぼ同等の機能を有した、廉価な使い捨て製品とした一実施例を示した斜視図である。このような使い捨て（ディスポーザル）タイプの口腔洗浄具２０を、ホテル等の宿泊施設の洗面所のアメニティグッズとして、石鹸等とともに備えておくことが可能となる。これにより、従来、歯ブラシ等を備えていた場合に比べ、グレードを高めたサービスを宿泊客に提供することができる。
【００３６】
図９に示した口腔洗浄具で２０は、本体部２２が握り部２１を兼ね、本体部２２の一部には、スライド構造の水量調整つまみ２５が取り付けられている。この水量調整つまみ２５は、クサビ状をなし、一方向にスライドさせると、本体部２２の内部に挿通されたフレキシブルホース２４の一部２４ｅの径を狭める動作をし、これにより先端ノズル２３から噴出させる水量の調整を簡易な構造で実現することができる。
【００３７】
図１０は、図９に示した口腔洗浄具２０のフレキシブルホース２４の開口端部２４ｄを、そのまま水栓の一部に設けられた開口に装着した状態を示した他の実施例としての模式説明図である。同図に示した湯水混合栓１は、金属管である水栓パイプ１１（図１１参照）が、外観に意匠的効果を施してメッキ仕上げされた樹脂カバー７で覆われた構造になっており、細いフレキシブルホース２４の開口端部２４ｄが水栓パイプの取付口１２に直接、取り付けられる。このために、この実施例では、図１１，図１２に示したようなワンタッチ継手４０が水栓パイプ１１の上面に取り付けられている。このワンタッチ継手４０にフレキシブルホース２４の開口端部２４ｄを直接、装着するようになっている。
【００３８】
図１１，図１２はワンタッチ継手４０が湯水混合栓１の水栓パイプ１１側に取り付けられた口腔洗浄具取付水栓１０の構成において、フレキシブルホース２４の取り外し時（図１１）、装着時（図１２）を示した断面図である。
図１１に示したように、このタイプの湯水混合栓１は、上述したように外観が樹脂カバー７で覆われ、その内部に金属配管からなる水栓パイプ１１が収容されている。そして、水栓パイプ１１の上面には、ワンタッチ継手４０が水栓パイプ１１と通水可能に固着されている。このワンタッチ継手４０は、図１１に示したように、湯水混合栓１の吐水口２から湯水を出して利用する場合には、内部の逆止弁４１および水栓パイプ１１内の流水の内圧により、ワンタッチ継手４０からの漏水が遮断された状態にある。さらにワンタッチ継手４０の孔４２内の内周面にはフレキシブルホース２４の開口端部２４ｄが挿入された際に、ホースの側面に密着して水密性を保持してホース端部の脱落を防止するロック爪部４３と、漏水防止用のＯリング４４とが装着されている。ワンタッチ継手４０の外周にはロック解除筒４５が装着されている。このロック解除筒４５は、ホース２４の下端部がワンタッチ継手４０の孔内４２挿入され、ホース２４の下端部がロック爪４３に保持された際に図１２に示したように、ホースのカラー２４ｃ位置まで上方に移動する。ホース２４を取り外すには、このロック解除筒４５を押し下げればロック爪部４３のロックが解除され、ホース２４は簡単にワンタッチ継手４０から取り外せる。
【００３９】
また、本実施例でも水栓パイプ１１の吐水口２とワンタッチ継手４０との間にも図４に示したものと同等の止水栓１４が設けられており、フレキシブルホース２４の端部をワンタッチ継手４０に差し込むとともに、この止水栓１４を図１２に示したように閉じることにより、水流は、図１０に示したように、ワンタッチ継手４０、フレキシブルホース２４を介して先端ノズル２３から所定の圧力の洗浄水を噴出させることができる。
【００４０】
図１１に示したワンタッチ継手４０を用いた湯水混合栓１を備えた洗面設備等では、上述したような廉価に製造可能な図９に示した口腔洗浄具２０以外にも、たとえば図２，図６に示したタイプの家庭用等の多機能を有する口腔洗浄具２０も、フレキシブルホース２４の端部を図２（ｂ）のようなシンプルな形状とすることで使用できるという利点がある。
【００４１】
なお、このワンタッチ継手４０を水栓パイプ１１に取り付けた実施例においても、図８に示したような水量調整バルブ１９を併設することもできる。また、ワンタッチ継手４０にホース２４の端部を挿入した際に、水栓パイプ１１の吐水口２への水流を遮断する止水機能を持たせることにより、止水栓１４を省略した水栓を提供することも可能である。
【図面の簡単な説明】
【００４２】
【図１】本発明の口腔洗浄具取付水栓の一実施例を示した斜視図。
【図２】本発明の脱着口腔洗浄具の一実施例を示した斜視図。
【図３】本発明の口腔洗浄具取付水栓に、ワンタッチ継手を介して脱着口腔洗浄具のフレキシブルホースを連結して使用した状態を示した説明図。
【図４】口腔洗浄具取付水栓に、脱着口腔洗浄具を連結する直前の状態を示した断面図。
【図５】口腔洗浄具取付水栓に脱着口腔洗浄具を連結した状態を示した断面図。
【図６】脱着口腔洗浄具の本体部の構造を一部切り欠いて示した正面図。
【図７】フレキシブルホースにワンタッチ継手を取り付ける状態及び、ワンタッチ継手の変形例を示した説明図。
【図８】口腔洗浄具取付水栓の変形例を示した断面図。
【図９】本発明の脱着口腔洗浄具の他の実施例を示した斜視図。
【図１０】ワンタッチ継手が取り付けられた口腔洗浄具取付水栓に脱着口腔洗浄具のフレキシブルホースを連結して使用した状態を示した説明図。
【図１１】ワンタッチ継手を有する口腔洗浄具取付水栓に脱着口腔洗浄具を連結する直前の状態を示した断面図。
【図１２】ワンタッチ継手を有する口腔洗浄具取付水栓に脱着口腔洗浄具を連結した状態を示した断面図。
【符号の説明】
【００４３】
１  湯水混合栓
２  吐水口
３  給湯ハンドル
４  給水ハンドル
１０  口腔洗浄具取付水栓
１１  水栓パイプ
１２  口腔洗浄具取付口（取付口）
１７  ボス
２０  口腔洗浄具（脱着口腔洗浄具）
２２  本体部
２３  先端ノズル
２４  フレキシブルホース
３０，４０  ワンタッチ継手
３５  流路
３６  副流路
５０  外部タンク
【図１】
2006158938.tif 000003
【図２】
2006158938.tif 000004
【図３】
2006158938.tif 000005
【図４】
2006158938.tif 000006
【図５】
2006158938.tif 000007
【図６】
2006158938.tif 000008
【図７】
2006158938.tif 000009
【図８】
2006158938.tif 000010
【図９】
2006158938.tif 000011
【図１０】
2006158938.tif 000012
【図１１】
2006158938.tif 000013
【図１２】
2006158938.tif 000014